(57)【要約】【課題】従来の平面表示パネル保持構造では、平面表示パネルが、面方向に対して移動可能であったため、衝撃力や振動が加えられると、平面表示パネルに面方向のズレが生じてしまい、位置精度が低下していた。【解決手段】画像を表示可能な平面表示パネル２と、この平面表示パネル２が載置される主面部３２ａ及び、この主面部３２ａの外周縁に連続されて平面表示パネル２の周囲を囲む側面部３２ｂ〜３２ｅを有するホルダ３２と、主面部３２ａの平面表示パネル２が載置される面と反対側の面に重ね合わされてホルダ３２と固定されるフレーム３１と、を備えている。そして、側面部３２ｂ〜３２ｅ及び平面表示パネル２の少なくとも一方に平面表示パネル２を付勢する弾性片４３を設け、弾性片４３の付勢力により平面表示パネル２をホルダ３２に付勢して位置決めした。【選択図】図５
2009031685.tif 000002
【特許請求の範囲】
【請求項１】
画像を表示可能な平面表示パネルと、
前記平面表示パネルが載置される主面部及び、当該主面部の外周縁に連続されて前記平面表示パネルの周囲を囲む側面部を有するホルダと、
前記主面部の前記平面表示パネルが載置される面と反対側の面に重ね合わされて前記ホルダに固定されるフレームと、
を備え、
前記側面部及び前記平面表示パネルの少なくとも一方に当該平面表示パネルを前記側面部に付勢する弾性片を設け、当該弾性片の付勢力により前記平面表示パネルを前記ホルダに付勢して位置決めした
ことを特徴とする平面表示パネル保持構造。
【請求項２】
前記主面部及び前記平面表示パネルは、それぞれ四角形をなしており、
前記弾性片は、前記主面部を囲う前記側面部のうち略９０度の角度をなして隣り合うように設置された２辺又は前記平面表示パネルの表示部を囲う側面部のうち略９０度の角度をなして隣り合うように設置された２辺に設けた
ことを特徴とする請求項１に記載の平面表示パネル保持構造。
【請求項３】
前記ホルダ及び前記平面表示パネルの一方に係合部を設けると共に、前記ホルダ及び前記平面表示パネルの他方に、前記係合部が係合されることにより当該平面表示パネルの脱落を防止する係合受部を設けた
ことを特徴とする請求項１に記載の平面表示パネル保持構造。
【請求項４】
前記ホルダ及び前記フレームの互いに重なり合う部分の一方に長穴を設けると共に、前記重なり合う部分の他方に、前記ホルダ又は前記フレームの厚み以内の高さであって、前記長穴に嵌合される補強用の突条部を設けた、
ことを特徴とする請求項１に記載の平面表示パネル保持構造。
【請求項５】
前記長穴及び前記突条部は、前記重なり合う部分に他の部材を複数箇所で固定したときに、当該他の部材を固定したことによって固定部間のスパンが長くなる方向に延在させて形成した
ことを特徴とする請求項４に記載の平面表示パネル保持構造。
【請求項６】
前記主面部の前記平面表示パネルが載置される面に、その載置面の略全体を覆うクッション部材を設けた
ことを特徴とする請求項１に記載の平面表示パネル保持構造。
【請求項７】
前記弾性片は、前記ホルダの前記側面部または前記平面表示パネルの側面部に一体に形成した
ことを特徴とする請求項１に記載の平面表示パネル保持構造。
【請求項８】
画像を表示可能な平面表示パネルと、
前記平面表示パネルが載置される主面部及び、当該主面部の外周縁に連続されて前記平面表示パネルの周囲を囲む側面部を有するホルダと、
前記主面部の前記平面表示パネルが載置される面と反対側の面に重ね合わされて前記ホルダに固定されるフレームと、を備えた電子機器であって、
前記側面部及び前記平面表示パネルの少なくとも一方に当該平面表示パネルを当該側面部に付勢する弾性片を設け、当該弾性片の付勢力により前記平面表示パネルを前記ホルダに付勢して位置決めした
ことを特徴とする電子機器。
【発明の詳細な説明】
【技術分野】
【０００１】
本発明は、画像を表示可能な液晶ディスプレイパネルや有機ＥＬディスプレイパネル等の平面表示パネルを保持する平面表示パネル保持構造及びその平面表示パネル保持構造を備えた電子機器に関するものである。
【背景技術】
【０００２】
従来の、この種の平面表示パネル保持構造としては、例えば、特許文献１に記載されているようなものがある。特許文献１には、表示パネルを備えたタッチパネル装置に関するものが記載されている。
【０００３】
この特許文献１に記載されたタッチパネル装置は、「開口部を設けた筐体と、前記開口部を塞ぐように前記筐体に取り付けられるタッチパネルと、前記タッチパネルの背面に配置される表示パネルと、前記表示パネルの背面に配置されるバックライトパネルと、前記バックライトパネルの背面に配置される押え板と、を備えたタッチパネル装置において、前記タッチパネルを前記表示パネルよりも大きく形成すると共に、前記表示パネルからはみ出した前記タッチパネルのはみ出し部と、前記押え板との間に介在されるスペーサを設け、前記スペーサを介して前記タッチパネルと前記押え板とで、前記表示パネルと前記バックライトパネルを挟持した」ことを特徴としている。
【０００４】
このような構成を有するタッチパネル装置によれば、「表示パネルのガラスを割れ難くすることができる」等の効果が期待される。
【特許文献１】特開２００６−１３４１８０号公報
【０００５】
しかしながら、特許文献１に記載されたタッチパネル装置では、スペーサを押え板とタッチパネルのはみ出し部の間に介在させて当該押え板を筐体に固定し、押え板と筐体で表示パネルを挟持することにより表示パネルを固定していた。そのため、表示パネルの面方向への移動が可能となっていた。その結果、表示パネルが、その面方向に移動可能であったことから、衝撃力や振動が加えられると、表示パネルに面方向のズレが生じ、表示パネルの位置精度が低下する、という問題があった。
【０００６】
また、表示パネルを筐体と押え板で挟持するために、表示パネルの外側にスペーサを配置する共にその外側で押え板と筐体を締結固定していた。そのため、スペーサや締結部を配置するスペースが必要であったことから、押え板は、表示パネルの外側に大きく張り出していた。その結果、表示パネルよりも大きな押え板が必要となり、押え板及び電子機器全体の大型化を招いている、という問題もあった。
【発明の開示】
【発明が解決しようとする課題】
【０００７】
解決しようとする問題点は、従来の平面表示パネル保持構造では、平面表示パネルを、筐体とフレームで挟持することで固定していたが、面方向に対して移動可能であった。そのため、衝撃力や振動が加えられると、平面表示パネルに面方向のズレが生じてしまい、位置精度が低下する、という点である。また、平面表示パネルの外側にスペーサを配置する共にその外側でフレームと筐体を締結固定していたため、フレームは、平面表示パネルの外側に大きく張り出していた。そのため、平面表示パネルよりも大きなフレームが必要となり、フレーム及び電子機器全体の大型化を招いている、という点である。
【課題を解決するための手段】
【０００８】
本発明の平面表示パネル保持構造は、画像を表示可能な平面表示パネルと、この平面表示パネルが載置される主面部及び、この主面部の外周縁に連続されて平面表示パネルの周囲を囲む側面部を有するホルダと、主面部の平面表示パネルが載置される面と反対側の面に重ね合わされてホルダに固定されるフレームと、を備えている。そして、側面部及び平面表示パネルの少なくとも一方に平面表示パネルを側面部に付勢する弾性片を設け、この弾性片の付勢力により平面表示パネルをホルダに付勢して位置決めしたことを最も主要な特徴とする。
【０００９】
また、本発明の電子機器は、画像を表示可能な平面表示パネルと、平面表示パネルが載置される主面部及び、この主面部の外周縁に連続されて平面表示パネルの周囲を囲む側面部を有するホルダと、主面部の平面表示パネルが載置される面と反対側の面に重ね合わされてホルダに固定されるフレームと、を備えている。そして、側面部及び平面表示パネルの少なくとも一方に平面表示パネルを側面部に付勢する弾性片を設け、この弾性片の付勢力により平面表示パネルをホルダに付勢して位置決めしたことを特徴とする。
【発明の効果】
【００１０】
本発明の平面表示パネル保持構造及び電子機器によれば、平面表示パネルの周囲をホルダの側面部で囲むと共にホルダ及び平面表示パネルに設けた弾性片によって平面表示パネルを側面部に付勢することにより、平面表示パネルを所定位置に位置決めし、固定することができる。これにより、平面表示パネルを面方向へ移動できないようにして、平面表示パネルの面方向へのズレを防止できると共に平面表示パネルの位置精度を向上させることができる。また、フレームの大きさを平面表示パネルと略等しい大きさに設定することができるため、フレームの大型化を防止し、電子機器全体の小型化を図ることができる。
【発明を実施するための最良の形態】
【００１１】
フレームとホルダを２枚重ねにすると共に、ホルダの側面部及び平面表示パネルの少なくとも一方に設けた弾性片により、平面表示パネルを側面部に付勢して平面表示パネルの位置決めを行う。これにより、平面表示パネルの面方向の位置決め精度を向上させることができる平面表示パネル保持構造及び電子機器を、簡単な構成によって実現した。
【００１２】
以下、本発明の実施の形態を、添付図面を参照して説明する。図１〜図４は本発明の電子機器の第１の実施の例に係るデジタルスチルカメラを示すもので、図１は分解斜視図、図２はレンズカバーで撮像レンズを覆ったデジタルスチルカメラの正面側から見た斜視図、図３はレンズカバーを移動させて撮像レンズを露出した斜視図、図４は背面側から見た斜視図である。
【００１３】
図５〜図１４は、本発明の平面表示パネル保持構造の第１の実施の例を示すもので、図５は分解斜視図、図６及び図７はホルダとフレームを固定させた状態を示す斜視図、図８及び図９は平面表示パネルを保持させた状態を示す斜視図、図１０は平面表示パネルをホルダに保持させた状態を示す斜視図、図１１は平面表示パネルの要部を拡大して示す斜視図、図１２は平面表示パネルを保持した状態の要部を拡大して示す斜視図、図１３及び図１４は断面図である。
【００１４】
まず、本発明の電子機器の第１の実施の例に係る撮像装置を、図１〜図４を参照して説明する。図１〜図４に示す装置は、本発明の撮像装置の第１の実施の例として適用したデジタルスチルカメラ１である。このデジタルスチルカメラ１は、情報記録媒体として半導体記録メディアを使用し、被写体からの光学的な画像を撮像素子｛例えば、ＣＣＤ（電荷結合素子）、ＣＭＯＳ（相補性金属酸化膜半導体）等｝で電気的な信号に変換して、半導体記録メディアに記録したり、液晶ディスプレイ等の表示装置である平面表示パネル２に表示できるようにしたものである。
【００１５】
このデジタルスチルカメラ１は、図１等に示すように、カメラ本体３と、被写体の像を光として取り込んで撮像手段としての撮像素子４に導くレンズ装置５と、撮像素子４から出力される映像信号に基づいて画像を表示する液晶ディスプレイ等からなる表示装置である平面表示パネル２と、レンズ装置５の動作や平面表示パネル２の表示等を制御する制御装置６と、レンズ装置５の撮像レンズ７を開閉するレンズカバー８と、図示しないバッテリー装置等を備えて構成されている。
【００１６】
カメラ本体３は、横長とされた扁平な矩形形状の筐体を有し、前後方向に重ね合わされたフロントケース１０及びリアケース１１と、このフロントケース１０とリアケース１１とで形成された空間部を前後に仕切るフレーム組立体１２等によって構成されており、フロントケース１０の前面に上下方向へスライド可能にレンズカバー８が取り付けられている。
【００１７】
フロントケース１０は、前面にレンズカバー８に設けた複数の脚片が挿通される複数の開口穴１３が設けられている。更に、フロントケース１０の前面の右側上部には、レンズ装置５の撮像レンズ７を露出させるためのレンズ用開口穴１４と、フラッシュ装置１５の発光部１５ａを露出させるためのフラッシュ用開口穴１６と、オートフォーカス機構の発光・受光部を露出させるための開口穴１７が設けられている。さらに、フラッシュ用開口穴１６の近傍には、マイクロホン用孔１８が開口されている。このマイクロホン用孔１８の内側にマイクロホンが内蔵されている。
【００１８】
また、フロントケース１０の上面部には、スイッチホルダ１９を挟持するために円弧状に切り欠かれた上切欠き部が設けられている。そして、このフロントケース１０の内面にレンズカバー８の上下方向の移動をガイドするガイド部材２１が設けられている。
【００１９】
レンズカバー８は、図示しない複数の脚片に抜け止め部を設けることによってフロントケース１０からの脱落が防止されている。このレンズカバー８は、ガイド部材２１によりガイドされて上下方向への移動が可能とされていると共に、図示しないロック手段により上端部と下端部においてロック可能とされている。図２に示すように、レンズカバー８が上端部にあるときには、撮像レンズ７が完全に閉じられている。これにより、撮像レンズ７の保護が図られる。一方、図３に示すように、レンズカバー８を下端部に移動すると、撮像レンズ７が完全に開かれると共に電源スイッチがオンに入力される。これにより、撮影が可能となるように構成されている。
【００２０】
リアケース１１には、平面表示パネル２の表示面を露出させるための四角形の開口窓２２が設けられている。開口窓２２は、リアケース１１の背面の略全体を開口して設けられている。この開口窓２２の内側には、平面表示パネル２が配置されている。この平面表示パネル２の背面には、平面表示パネル２を保持するフレーム組立体１２が配置されている。なお、平面表示パネル２及びフレーム組立体１２については、後述する。更に、リアケース１１の上面部には、フロントケース１０と同様に、スイッチホルダ１９を挟持するために円弧状に切り欠かれた上切欠き部が設けられている。そして、このリアケース１１の端部には、ストラップ用の支持環２３が取り付けられている。
【００２１】
フロントケース１０とリアケース１１の材質としては、例えば、ステンレス鋼等の金属が好適であるが、その他の金属を用いることができることは勿論のこと、金属以外にもエンジニアリングプラスチック等を用いることもできる。
【００２２】
このフロントケース１０とリアケース１１との間を仕切るフレーム組立体１２の前面の一側に、撮像素子４を下にして光軸を上下方向に向けた状態でレンズ装置５が収納されている。撮像素子４は、撮像素子用アダプタ２４に固定されており、この撮像素子用アダプタ２４を介してレンズ装置５に取り付けられている。なお、フレーム組立体１２には、配線基板上に所定のマイクロコンピュータ、抵抗やコンデンサその他の電子部品等を搭載することによって形成された制御装置６と、フラッシュ装置１５等が取り付けられている。
【００２３】
制御装置６は、レンズ装置５と横並びに配置されており、これらの上方にフラッシュ装置１５が配置されている。フラッシュ装置１５は、フロントケース１０の前面に露出される発光部１５ａと、その発光部１５ａを駆動制御する駆動部１５ｂと、その駆動部１５ｂに所定の電力を供給するコンデンサ１５ｃ等を備えて構成されている。このフラッシュ装置１５の発光部１５ａとレンズ装置５の撮像レンズ７が、フロントケース１０の対応する位置に設けたフラッシュ用開口穴１６とレンズ用開口穴１４にそれぞれ嵌合されている。
【００２４】
また、図２〜４に示すように、カメラ本体３の上面には、電源をオン・オフさせる電源ボタン２５、撮影した画像を平面表示パネルに再生させる再生ボタン２６、撮影の開始や停止を実行する撮影ボタン２７、画像を連続的に拡大（テレ）又は縮小（ワイド）させるズームレバー２８等が設けられている。これら電源ボタン２５と再生ボタン２６と撮影ボタン２７とズームレバー２８は、カメラ本体３に装着されるスイッチホルダ１９に取り付けられている。
【００２５】
次に、図５〜図１４を参照して、平面表示パネル２及び、この平面表示パネル２を保持するフレーム組立体１２について説明する。平面表示パネル２は、横長矩形の平板状をなしている。この平面表示パネル２は、タッチパネル付きの表示部であり、記録信号または再生信号を画像情報として表示する表示手段と、各種の操作を行う入力手段等を備えている。図１０及び図１３に示すように、この平面表示パネル２は、タッチパネル２ａと、表示部である表示モニタ２ｂと、バックライトパネル２ｃ等から構成されている。
【００２６】
タッチパネル２ａは、横長矩形の板体をなしており、電気的なボタンとしての機能を有する入力装置である。このタッチパネル２ａの表面に指や専用のペン等で触れることにより、センサが感知して所望の操作を行うことができる。タッチパネル２ａは、例えば、フィルムとガラスから構成されたフィルム−ガラスタッチパネルが好適である。しかしながら、フィルム−ガラスタッチパネルに限定されるものではない。例えば、フィルム−プラスチックタッチパネルやガラス−ガラスタッチパネル等の抵抗膜式のタッチパネルは勿論のこと、静電容量式や超音波式等の各種のタッチパネルを用いることもできる。そして、このタッチパネル２ａの入力面と反対側の面に表示モニタ２ｂが接着されて密着されている。
【００２７】
表示モニタ２ｂは、タッチパネル２ａと同様の大きさを有する横長矩形の平板状をなす表示装置である。本実施例では、液晶ディスプレイパネルを用いた例について説明しているが、例えば有機ＥＬ（Ｅｌｅｃｔｒｏｌｕｍｉｎｅｓｃｅｎｃｅ）パネルその他の表示モニタを用いてもよい。そして、この表示モニタ２ｂの背面に光源であるバックライトパネル２ｃが配置されている。
【００２８】
バックライトパネル２ｃは、横長矩形の平板状をなしている。このバックライトパネル２ｃが、表示モニタ２ｂの背面から光りを照らすことにより、表示モニタ２ｂに表示された像を見ることができる。バックライトパネル２ｃの光源には、例えば、ＬＥＤ（発光ダイオード）が好適であるが、ＥＬ（電界発光ランプ）、ＣＦＬ（陰極蛍光ランプ）等を用いることができる。
【００２９】
また、図５及び図１１等に示すように、この平面表示パネル２の側面部には、タッチパネル２ａ、表示モニタ２ｂ及びバックライトパネル２ｃ等を防護するための防護部材５１が設けられている。防護部材５１は、平面表示パネル２の側面部の４辺を囲うように設けられている。この防護部材５１は、バックライトパネル２ｃの下端部からタッチパネル２ａの略中央にかけてその側面を覆っている。さらに、平面表示パネル２の側面部の２つの長辺のうちの一辺には、爪状の係合部５２が設けられている。この係合部５２は、防護部材５１の一部を折り曲げることにより形成されている。
【００３０】
この平面表示パネル２を保持するフレーム組立体１２は、略平板状をなすフレーム３１と、このフレーム３１の一面上に載置されると共に上面が開口された薄い容器状をなすホルダ３２と、フレーム３１の他面側に取り付けられる他の部材の一具体例を示す電池収納ホルダ３３等を有している。
【００３１】
図５、図６及び図７に示すように、フレーム３１は、略長方形をなす平板状の部材からなっている。フレーム３１は、略長方形をなす載置面部３１ａと、この載置面部３１ａの長手方向の一端から略垂直をなして連続する第１の側面部３１ｂと、載置面部３１ａの長手方向の他端から略垂直をなして連続する第２の側面部３１ｃと、載置面部３１ａの短手方向の一端から略垂直をなして連続する第３の側面部３１ｄと、載置面部３１ａの短手方向の他端から第１〜第３の側面部３１ｂ〜３１ｄと反対側に略垂直をなして連続する第４の側面部３１ｅとを有している。第１の側面部３１ｂと第２の側面部３１ｃが対向されていて、両側面部３１ｂ，３１ｃの短手方向の一側に第３の側面部３１ｄが配置されている。
【００３２】
載置面部３１ａは、略長方形をなしており、平面表示パネル２の表示面と略同じか或いは少し大きく形成されている。載置面部３１ａには、長手方向の他側、即ち電池収納ホルダ３３が取り付けられる側に、長手方向に所定の間隔を開けて３つの補強用の突条部３５ａ，３５ｂ，３５ｃが設けられている。３つの突条部３５ａ，３５ｂ，３５ｃは、載置面部３１ａの短手方向、即ち電池収納ホルダ３３の長手方向に延在する断面形状が桶状をなす突条として形成されている。
【００３３】
これらの突条部３５ａ，３５ｂ，３５ｃは、例えば、フレーム３１をプレス成形する際に同時に成形される。３つの突条部３５ａ，３５ｂ，３５ｃは、それぞれホルダ３２と重なり合う方向に突出している。そして、この３つの突条部３５ａ，３５ｂ，３５ｃの高さ（突出量）は、後述するホルダ３２の板厚と等しいか又はその板厚よりも低くなるように設定されている。この突条部３５により、バッテリー装置の未挿入時における強度が低い電池収納ホルダ３３部分の強度を向上させることができる。
【００３４】
また、載置面部３１ａの第３の側面部３１ｄ側には、ホルダ３２の位置決めを行う２つの位置決め突起３６ａ，３６ｂが設けられている。第１の位置決め突起３６ａは、載置面部３１ａの長手方向の一端部に設けられており、第２の位置決め突起３６ｂは、載置面部３１ａの長手方向の他端部に設けられている。２つの位置決め突起３６ａ，３６ｂは、ホルダ３２と重なり合う方向に突出して形成されている。この２つの位置決め突起３６ａ，３６ｂの高さ（突出量）は、突条部３５と同様に、ホルダ３２の板厚と等しいか又はその板厚よりも低くなるように設定されている。また、位置決め突起３６を２つ設けたことにより、ホルダ３２の面方向の回転を規制することができる。
【００３５】
更に、載置面部３１ａ及び第１の側面部３１ｂには、制御装置６やリアパネル１１等と締結固定するための複数の固定部３７が設けられている。また、第２の側面部３１ｃには、後述する電池収納ホルダ３３を固定するためのフック片３８が設けられている。
【００３６】
ホルダ３２は、横方向に長く形成された略長方形をなす底の浅い容器状をなしている。図１３に示すように、ホルダ３２の板厚は、フレーム３１の板厚の略半分に設定されている。そして、図５及び図６に示すように、このホルダ３２は、略長方形をなす主面部３２ａと、この主面部３２ａの長手方向の一端から略垂直をなして連続する第１の側面部３２ｂと、主面部３２ａの長手方向の他端から略垂直をなして連続する第２の側面部３２ｃと、主面部３２ａの短手方向の一端から略垂直をなして連続する第３の側面部３２ｄと、主面部３２ａの短手方向の他端から略垂直をなして連続する第４の側面部３２ｅを有している。第１の側面部３２ｂと第２の側面部３２ｃが対向されていて、両側面部３２ｂ，３２ｃの短手方向の一側に第３の側面部３２ｄが配置されており、両側面部３２ｂ，３２ｃの短手方向の他側に第４の側面部３２ｅが配置されている。
【００３７】
主面部３２ａは、略長方形をなしており、平面表示パネル２の表示面及びフレーム３１の載置面部３１ａと略同じ大きさに設定されている。主面部３２ａの一面には、後述するクッション部材３４を介して平面表示パネル２が載置される。主面部３２ａは、フレーム３１と重なり合った際に、フレーム３１に設けた３つの突条部３５ａ，３５ｂ，３５ｃと対応する箇所に、３つの長穴４１ａ，４１ｂ，４１ｃが設けられている。３つの長穴４１ａ〜４１ｃは、主面部３２ａの長手方向の他側に、長手方向に所定の間隔を開けて形成されている。この３つの長穴４１ａ〜４１ｃは、主面部３２ａの短手方向に延在し、その長さが突条部３５ａ〜３５ｃの長さと対応している。そして、フレーム３１の載置面部３１ａとホルダ３２の主面部３２ａが重なり合った際には、第１の長穴４１ａに第１の突条部３５ａが嵌合され、同様に、第２の長穴４１ｂに第２の突条部３５ｂが嵌合され、さらに第３の長穴４１ｃに第３の突条部３５ｃが嵌合される。
【００３８】
なお、この実施の例では、突条部３５と長穴４１を３つ設けた例を説明したが、突条部と長穴の数は、これに限定されるものではない。例えば、突条部及び長穴を２つ以下としてもよく、または４つ以上設けてもよい。また、突条部３５の高さ（突出量）は、ホルダ３２の板厚と等しいか又はその板厚よりも低く設定しているため、ホルダ３２を重ね合わせた際に当該ホルダ３２から出っ張らずに剛性を高めることが可能である。
【００３９】
また、主面部３２ａの第３の側面部３２ｄ側には、フレーム３１に設けた２つの位置決め突起３６ａ，３６ｂが挿入される２つの位置決め穴４２ａ，４２ｂが形成されている。第１の位置決め穴４２ａは、主面部３２ａの長手方向の一端部に設けられており、第２の位置決め穴４２ｂは、主面部３２ａの長手方向の他端部に設けられている。そして、第１の位置決め穴４２ａに第１の位置決め突起３６ａを挿入し、同様に、第２の位置決め穴４２ｂに第２の位置決め突起３６ｂを挿入することにより、ホルダ３２のフレーム３１に対する位置決めと面方向の回転を規制している。また、２つの位置決め突起３６ａ，３６ｂの高さ（突出量）は、突条部３５と同様に、ホルダ３２の板厚と等しいか又はその板厚よりも低くなるように設定されているため、ホルダ３２を重ね合わせた際に当該ホルダ３２の主面部３２ａから出っ張ることがない。
【００４０】
なお、この実施の例では、突条部３５をフレーム３１に設け、この突条部３５が嵌合される長穴４１をホルダ３２に設けた例について説明したが、これに限定されるものではない。例えば、この実施の例とは逆に、突条部をホルダに設けてこの突条部が嵌合される長穴をフレームに設けてもよい。同様に、この実施の例では、位置決め突起３５をフレーム３１に設け、この位置決め突起３６が挿入される位置決め穴４２をホルダ３１に設けた例について説明したが、これに限定されるものではない。例えば、この実施の例とは逆に、位置決め突起をホルダに設けて、この位置決め突起が挿入される位置決め穴をフレームに設けてもよい。更に、フレーム３１とホルダ３２に、突条部３５と長穴４１を共に設ける構成とすることもできる。
【００４１】
第２の側面部３２ｃは、略中央から一端にかけて開口されている。この第２の側面部３２ｃの開口部に、平面表示パネル２の図示しないフレキシブル配線が挿通される。そして、第２の側面部３２ｃには、第１の弾性片４３ａが当該第２の側面部３２ｃと一体に設けられている。第１の弾性片４３ａは、横方向に延在された板ばね状をなしており、第２の側面部３２ｃの下端部を切り欠くことによって形成されている。そして、中央部を内側に突出させて、くの字状に形成することにより弾性が付与されている。
【００４２】
また、この第２の側面部３２ｃと略９０度の角度をなして隣り合う第４の側面部３２ｅには、第２の弾性片４３ｂと第３の弾性片４３ｃが長手方向に所定の間隔をあけて当該第４の側面部３２ｅと一体に設けられている。第２の弾性片４３ｂと第３の弾性片４３ｃは、それぞれ横方向に延在された板ばね状をなしており、第４の側面部３２ｅの下端部を切り欠くことによって形成されている。そして、中央部を内側に突出させて、くの字状に形成することにより弾性が付与されている。これらの弾性片４３ａ，４３ｂ，４３ｃは、例えば、ホルダ３２をプレス成形する際に同時に成形される。
【００４３】
第２の側面部３２ｃと対向する第１の側面部３２ｂには、２つの第１の当接部４４ａ，４４ａが設けられている。第１の当接部４４ａは、第１の側面部３２ｂの長手方向の両端部に配置されている。この第１の当接部４４ａは、第１の側面部３２ｂから主面部３２ａ側に向けて突出している。
【００４４】
また、図５及び図６に示すように、第４の側面部３２ｅと対向する第３の側面部３２ｄは、フレーム３１の固定部３７と対応する箇所が複数開口されている。この第３の側面部３２ｄには、２つの第２の当接部４４ｂ，４４ｂが設けられている。第２の当接部４４ｂは、第３の側面部３２ｄの長手方向の両端部に配置されている。この第２の当接部４４ｂは、第１の当接部４４ａと同様に、第３の側面部３２ｄから主面部３２ａ側に向けて突出している。そして、これらの当接部４４ａ，４４ｂは、例えば、ホルダ３２をプレス成形する際に同時に成形される。更に、第３の側面部３２ｄには、平面表示パネル２に設けた係合部５２が係合される係合穴４５が設けられている。この係合穴４５は、平面表示パネル２の係合部５２の位置と対応するように、第１の側面部３２ｂ側に配置されている。
【００４５】
図５、図１３及び図１４に示すように、ホルダ３２の主面部３２ａには、クッション部材３４が主面部３２ａの一面の略全体を覆うように接着剤で接着されて一体的に取り付けられている。クッション部材３４は、主面部３２ａの一面と同様の大きさを有する略長方形状をなす弾性部材からなっている。クッション部材３４には、複数のスリット３４ａが設けられている。複数のスリット３４ａは、左右対称をなすように略中央から長手方向に沿って所定の間隔を開けて開口されている。このクッション部材３４の材質としては、ゴムスポンジを挙げることができるが、ポリウレタンフォームやポリエチレンフォーム等のように、この種のクッション部材に使用される各種の材料を用いることができる。
【００４６】
このクッション部材３４を設けたことにより、平面表示パネル２やフレーム組立体１２に外力が加わった際に、この外力を吸収することができる。また、クッション部材３４が平面表示パネル２をリアパネル１１側に付勢することにより、平面表示パネル２とリアパネル１１との隙間を解消し、ガタツキを取り除くことができる。更に、クッション部材３４に複数のスリット３４ａを設けたことにより、平面表示パネル２に係る付加を分散させることができると共に平面表示パネル２をバランスよくリアパネル１１側に付勢することができる。
【００４７】
なお、この実施の例では、クッション部材３４に設けた複数のスリット３４ａを、左右対称をなすように形成した例を説明したが、これに限定されるものではない。例えば、スリットを千鳥格子状に形成してもよい。
【００４８】
図５及び図７に示すように、電池収納ホルダ３３は、断面形状がコの字型をなしており、略長方形の底面部３３ａと、その底面部３３ａの短手方向の一端から略垂直をなして連続する第１の側面部３３ｂと、底面部３３ａの短手方向の他端の一部から略垂直をなして連続する第２の側面部３３ｃとを有している。この電池収納ホルダ３３によって囲まれる直方体をなす空間領域（バッテリー収納部）に、図示しないバッテリー装置が収納される。
【００４９】
電池収納ホルダ３３の底面部３３ａには、バネ取付部４６が設けられている。バネ取付部４６は、底面部３３ａにおける長手方向の一端の一部を略垂直をなして折り曲げることにより形成されている。このバネ取付部４６に、バッテリー装置を付勢するための図示しないバネ部材が取り付けられる。
【００５０】
電池収納ホルダ３３の第１の側面部３３ｂには、上端部から略垂直をなすように連続された取付面４７が設けられている。この取付面４７は、電池収納ホルダ３３をフレーム３１に取り付けた際に、フレーム３１の載置面部３１ａの背面に接触し、溶接等の固着手段により固定される。第２の側面部３３ｃには、フレーム３１に設けたフック片３８が係合される開口穴４８が設けられている。
【００５１】
これらのフレーム３１、ホルダ３２及び電池収納ホルダ３３の材質としては、例えば、ステンレス鋼等の金属が好適であるが、その他の金属を用いることができることは勿論のこと、金属以外にもエンジニアリングプラスチック等を用いることもできる。
【００５２】
このような構成を有するフレーム組立体１２は、例えば、次のようにして組立てることができる。まず、フレーム３１、ホルダ３２及び電池収納ホルダ３３は、それぞれ板金をプレス加工することにより成形される。このプレス加工時に、フレーム３１に設けた突条部３５と位置決め突起３６が、当該フレーム３１と一体に成形される。同様に、プレス加工時に、ホルダ３２に設けた長穴４１、位置決め穴４２、弾性片４３及び当接部４４が、当該ホルダ３２と一体に成形される。この際、弾性片４３がホルダ３２と一体に形成されるため、弾性片４３の部品点数が増えるのを防ぐことができると共に弾性片４３をホルダ３２に取り付けるという作業工数の増加を防ぐこともできる。
【００５３】
次に、フレーム３１の載置面部３１ａに設けた２つの位置決め突起３６ａ，３６ｂとホルダ３２の主面部３１ａに設けた２つの位置決め穴４２ａ，４２ｂを上下方向に向かい合わせ、フレーム３１の載置面部３１ａの一面側の上方にホルダ３２を臨ませる。そして、第１の位置決め穴４２ａに第１の位置決め突起３６ａを挿入し、第２の位置決め穴４２ｂに第２の位置決め突起３６ｂを挿入し、フレーム３１の載置面部３１ａの一面側にホルダ３２の主面部３２ａを重ね合わせる。
【００５４】
この際、図６、図７及び図１４に示すように、フレーム３１の載置面部３１ａに設けた第１の突条部３５ａが、第１の長穴４１ａに嵌合され、第２の突条部３５ｂが第２の長穴４１ｂに嵌合され、さらに第３の突条部３５ｃが第３の長穴４１ｃに嵌合される。ここで、この突条部３５及び長穴４１は、電池収納ホルダ３３が取り付けられた際に、その固定部間のスパンが長くなる方向に延在させて形成している。これにより、フレーム組立体１２の強度を効果的に補強することができる。そして、この重なり合ったフレーム３１の載置面部３１ａとホルダ３２の主面部３２ａを溶接し、フレーム３１とホルダ３２を固定する。このように、フレーム３１とホルダ３２を溶接することで、フレーム組立体１２の強度を向上させることができ、フレーム３１とホルダ３２のズレを防止することができる。
【００５５】
また、載置面部３１ａの一面の略全体にホルダの主面部３２ａを重ね合わせ、フレーム３１とホルダ３２の溶接を、平面表示パネル２を載置する面内で行っている。そのため、フレーム３１の載置面部３１ａのスペースを無駄なく利用することができる。その結果、フレーム３１が平面表示パネル２の外側に張り出す部分の大きさを極めて小さくすることができる。これにより、フレーム３１の大きさを平面表示パネル２と略等しい大きさに設定することができ、従って、フレーム３１の小型化を図ることができる。
【００５６】
なお、予めフレーム３１に、電池収納ホルダ３３を組み立てておく。即ち、フレーム３１の載置面部３１ａの他面側における所定の箇所、即ち３つの突条部３５ａ〜３５ｃの背面側に電池収納ホルダ３３を配置する。そして、電池収納ホルダ３３の第２の側面部３３ｃに設けた開口穴４８に、フレーム３１の第２の側面部３１ｃに設けたフック片３８を挿入する。次に、電池収納ホルダ３３の第１の側面部３３ｂに設けた取付面４７をフレーム３１の載置面部３１ａの他面側に接触させ、溶接等の固着手段によって固定する。これにより、図６及び図７に示すように、フレーム３１の他面側に電池収納ホルダ３３が取り付けられる。そして、フレーム３１の載置面部３１ａ及び第２の側面部３１ｃと、電池収納ホルダ３３の底面部３３ａ，第１の側面部３３ｂ及び第２の側面部３３ｃにより、バッテリー装置が収納されるバッテリー収納部が形成される。
【００５７】
なお、この実施の例では、フレーム３１に対してホルダ３２及び電池収納ホルダ３３を溶接により固定する例を説明したがこれに限定されるものではない。例えば、フレーム３１とホルダ３２及び電池収納ホルダ３３をカシメ加工により締結固定してもよく、その他の固着手段によってフレーム３１とホルダ３２及び電池収納ホルダ３３を固定してもよい。
【００５８】
次に、フレーム３１に固定されたホルダ３２の主面部３２ａの一面全体を覆うように、クッション部材３４を接着等の固着手段により固定する。これにより、フレーム組立体１２の組み立てが完了する。
【００５９】
次に、フレーム組立体１２における平面表示パネル２の保持構造について説明する。まず、図６及び図７に示すように、係合部５２とホルダ３２の係合穴４５の位置を対応させて、ホルダ３２の主面部３２ａの上方に平面表示パネル２の表示面と反対側の面を対向させて当該平面表示パネル２を臨ませる。
【００６０】
次に、平面表示パネル２の側面部における２つの短辺うちの一辺を、第１の弾性片４３ａの弾性力に抗して第２の側面部３２ｃに押し当てる。この押し当てた一辺と略９０度の角度をなして隣り合う２つの長辺のうち係合部５２を設けた一辺と対向する一辺を、第２及び第３の弾性片４３ｂ，４３ｃの弾性力に抗して第４の側面部３２ｅに押し当てる。そして、平面表示パネル２の側面に設けた係合部５２を、ホルダ３２の第３の側面部３２ｄに設けた係合穴４５に係合させ、平面表示パネル２をホルダ３２の主面部３２ａに載置する。
【００６１】
これにより、図９、図１０及び図１２に示すように、平面表示パネル２は、第１の弾性片４３ａの付勢力により、ホルダ３２の第１の側面部３２ｂ側に付勢され、平面表示パネル２の側面部がホルダ３２の第１の側面部３２ｂに設けた２つの第１の当接部４４ａ，４４ａに当接される。このとき、図１４に示すように、平面表示パネル２の防護部材５１が第１の弾性片４３ａの下部に形成した切り欠きに挿入される。また、平面表示パネル２は、第２及び第３の弾性片４３ｂ，４３ｃの付勢力により、ホルダ３２の第３の側面部３２ｄ側に付勢され、平面表示パネル２の側面部がホルダ３２の第３の側面部３２ｄに設けた２つの第２の当接部４４ｂ，４４ｂに当接される。
【００６２】
その結果、平面表示パネル２は、２つの第１の当接部４４ａ，４４ａと２つの第２の当接部４４ｂ，４４ｂとで規制される面方向の所定位置で位置決めされ、フレーム組立体１２に固定される。このとき、２つの第１の当接部４４ａ，４４ａ及び２つの第２の当接部４４ｂ，４４ｂと、３つの弾性片４３ａ〜４３ｃによって平面表示パネル２が面方向へ移動できないようにしたため、衝撃力や振動が加えられた際に、平面表示パネル２に面方向のズレが発生することを防止できると共に平面表示パネル２の位置精度を向上させることができる。
【００６３】
更に、平面表示パネル２の位置決めを行う第１及び第２の当接部４４ａ，４４ｂをホルダ３２と一体に成形しているため、平面表示パネル２の位置決め精度を高めることが可能である。そして、平面表示パネル２の側面部を面ではなく、突起状をなす第１及び第２当接部４４ａ，４４ｂと点接触させて位置決めを行っている。これにより、ホルダ３２のプレス加工時の加工精度により、第１及び第３の側面部３２ｂ，３２ｄにソリや浮きが発生しても、そのソリや浮きに影響を受けることなく、平面表示パネル２を所定位置に付勢して位置決めすることができる。
【００６４】
また、図１３及び図１４に示すように、平面表示パネル２の係合部５２とホルダ３２の係合穴４５を係合し、防護部材５１の一部を第１の弾性片４３ａの下部に形成した切り欠きに挿入している。これにより、平面表示パネル２がホルダ３２から脱落することを防止することができる。
【００６５】
なお、この実施の例では、平面表示パネル２を付勢する３つの弾性片４３ａ〜４３ｃをホルダ３２に設けた例を説明したが、これに限定されるものではなく、例えば、この実施の例とは逆に、弾性片を平面表示パネルの側面部に設けて、この弾性片がホルダの側面部と当接することにより、平面表示パネルをホルダの側面部に付勢する構成としてもよい。また、この実施の例では、係合部５２を平面表示パネル２に設け、この係合部５２が係合される係合穴４５をホルダ３２に設けた例を説明したが、これに限定されるものではなく、例えば、この実施の例とは逆に、係合部をホルダに設け、係合穴を平面表示パネルに設けてもよい。
【００６６】
以上説明してきたように、本発明の平面表示パネル保持構造及び電子機器によれば、平面表示パネルの側面部をホルダの側面部で囲み、且つ弾性片でホルダの側面部側に付勢する構成とした。その結果、平面表示パネルをホルダに付勢して位置決めすることができ、平面表示パネルを面方向に対して固定することができる。これにより、平面表示パネルが面方向に移動できないため、平面表示パネルの面方向へのズレを防止することができ、従って、平面表示パネルの位置精度を向上させることができる。
【００６７】
更に、フレームとホルダの２枚を重ね合わせて、このフレームとホルダを溶接により固定している。これにより、フレームとホルダとのズレを防止することができると共に全体の強度を向上させることができる。また、フレームとホルダを、平面表示パネルの投影面内で溶接している。そのため、フレームが平面表示パネルの外側へ張り出す部分を極めて小さくすることができる。これにより、フレームの大きさを平面表示パネルと略等しい大きさに設定することができ、フレーム及び電子機器の小型化を図ることができると共に大型の平面表示パネルを設けることができる。
【００６８】
また、プレス加工時に弾性片をホルダと一体に成形したことにより、板バネの部品点数が増えるのを防ぐことができる共に板バネをホルダに取り付けるという作業工数の増加を防ぐこともできる。
【００６９】
また、フレームにホルダの板厚と等しいか又はその板厚よりも低い高さ（突出量）の突条部を設け、ホルダにこの突条部が嵌合される長穴を設けている。その結果、全体の板厚を増やすことなく、電池収納ホルダにバッテリー装置の未挿入時等のように、フレームの強度が他の部分よりも低い部分を補強することができる。ここで、突条及び長穴を、電池収納ホルダの固定部間のスパンが長くなる方向に延在させて形成しているため、効果的に強度を補強することができる。
【００７０】
尚、本発明は前述しかつ図面に示した実施の形態に限定されるものではなく、その要旨を逸脱しない範囲内で種々の変形実施が可能である。例えば、前記実施例においては、電子機器の具体例としてデジタルスチルカメラを適用した例について説明したが、これに限定されるものではなく、この種の平面表示パネルが用いられるパーソナルコンピュータ、電子辞書、ＤＶＤプレーヤ、カーナビゲーション、携帯電話端末装置その他各種の電子機器に適用できるものである。
【図面の簡単な説明】
【００７１】
【図１】本発明の電子機器の第１の実施の例として示す撮像装置の一具体例であるデジタルスチルカメラの分解斜視図である。
【図２】本発明の電子機器の第１の実施の例として示す撮像装置の一具体例であるデジタルスチルカメラの撮像レンズをレンズカバーで閉じた状態を正面側から見た斜視図である。
【図３】本発明の電子機器の第１の実施の例として示す撮像装置の一具体例であるデジタルスチルカメラのレンズカバーを開いて撮像レンズを露出させた状態を正面側から見た斜視図である。
【図４】本発明の電子機器の第１の実施の例として示す撮像装置の一具体例であるデジタルスチルカメラを背面側から見た斜視図である。
【図５】本発明の平面表示パネル保持構造の第１の実施の例を示す分解斜視図である。
【図６】本発明の平面表示パネル保持構造の第１の実施の例に係るフレームとホルダを重ね合わせた状態を示す斜視図である。
【図７】本発明の平面表示パネル保持構造の第１の実施の例に係るフレームとホルダを重ね合わせた状態を図６とは反対側から見た斜視図である。
【図８】本発明の平面表示パネル保持構造の第１の実施の例に係る平面表示パネルを保持し状態を示す斜視図である。
【図９】本発明の平面表示パネル保持構造の第１の実施の例に係る平面表示パネルを保持し状態を図８とは反対側から見た斜視図である。
【図１０】本発明の平面表示パネル保持構造の第１の実施の例に係る平面表示パネルをホルダに装着し状態を示す斜視図である。
【図１１】本発明の平面表示パネル保持構造の第１の実施の例に係る平面表示パネルの要部を拡大して示す斜視図である。
【図１２】本発明の平面表示パネル保持構造の第１の実施の例に係る平面表示パネルをホルダに装着し状態における要部を拡大して示す斜視図である。
【図１３】本発明の平面表示パネル保持構造の第１の実施の例に係る平面表示パネルを保持し状態を断面して示す説明図である。
【図１４】本発明の平面表示パネル保持構造の第１の実施の例に係る平面表示パネルを保持し状態を断面して示す説明図である。
【符号の説明】
【００７２】
１…デジタルスチルカメラ（電子機器）、  ２…平面表示パネル、  ３…カメラ本体、  １１・・・リアケース、  １２・・・フレーム組立体、  ３１・・・フレーム、  ３１ａ・・・側面部、  ３２・・・ホルダ、  ３２ａ・・・主面部、  ３２ｂ，３２ｃ，３２ｄ，３２ｅ・・・側面部、  ３３・・・電池収納ホルダ（他の部材）、  ３４・・・クッション部材、  ３５ａ，３５ｂ，３５ｃ・・・突条部、  ３６ａ，３６ｂ・・・位置決め突起、  ４１ａ，４１ｂ，４１ｃ・・・長穴、  ４２ａ，４２ｂ・・・位置決め穴、  ４３ａ，４３ｂ，４３ｃ・・・弾性片、  ４４ａ，４４ｂ・・・当接部、  ４５・・・係合穴、  ５２・・・係合部
【図１】
2009031685.tif 000003
【図２】
2009031685.tif 000004
【図３】
2009031685.tif 000005
【図４】
2009031685.tif 000006
【図５】
2009031685.tif 000007
【図６】
2009031685.tif 000008
【図７】
2009031685.tif 000009
【図８】
2009031685.tif 000010
【図９】
2009031685.tif 000011
【図１０】
2009031685.tif 000012
【図１１】
2009031685.tif 000013
【図１２】
2009031685.tif 000014
【図１３】
2009031685.tif 000015
【図１４】
2009031685.tif 000016